(57)【要約】【課題】使用済遊技機の回収と代金の支払との円滑化を図る。【解決手段】遊技機製造会社１が買取申込書２を遊技店に発行し、この買取申込書２に遊技店３が売渡情報４を記入して遊技機製造会社１に渡し、遊技機製造会社１が受け取った売渡情報４に基づき着払送状５および梱包材６を遊技店３に送り、遊技店３が使用済遊技機８を梱包材６に格納して着払送状５を梱包材６に添付し宅配業者７に運搬依頼を行い、運搬依頼を受けた宅配業者７が着払送状５に基づき使用済遊技機８の格納された梱包材６を遊技店３から遊技機製造会社１の指定場所に運搬し、遊技機製造会社１が宅配業者７から受け取った使用済遊技機８の正否を検収して検収の結果に基づき買取通知書９を作成して遊技店３に渡すとともに検収結果に基づく代金１０を遊技店３の口座に振り込みで支払い、また、遊技機製造会社１が配達結果に基づき運賃１１を宅配業者７の口座に振り込みで支払う。【選択図】図１
2008212259.tif 000002
【特許請求の範囲】
【請求項１】
遊技機製造会社が買取申込書を遊技店に発行し、この買取申込書に遊技店が使用済遊技機に関する売渡情報を記入して遊技機製造会社に渡し、遊技機製造会社が受け取った売渡情報に基づき着払送状および梱包材を遊技店に送り、遊技店が使用済遊技機を梱包材に格納して着払送状を梱包材に添付し宅配業者に運搬依頼を行い、運搬依頼を受けた宅配業者が着払送状に基づき使用済遊技機の格納された梱包材を遊技店から遊技機製造会社に運搬し、遊技機製造会社が宅配業者から受け取った使用済遊技機の正否を検収して検収の結果に基づき買取通知書を作成して遊技店に渡すとともに検収結果に基づく代金を遊技店に支払い、また、遊技機製造会社が配達結果に基づき運賃を宅配業者に支払うことを特徴とする使用済遊技機の回収方法。
【発明の詳細な説明】
【技術分野】
【０００１】
本発明は、使用済遊技機の回収と代金の支払とが円滑になる使用済遊技機の回収方法に関する。
【背景技術】
【０００２】
使用済遊技機の回収方法には、遊技店が使用済遊技機に関する情報をコンピュータからインターネットで管理センターのコンピュータに送信し、管理センターのコンピュータが使用済遊技機に関する情報をホームページとしてインターネットで公開し、遊技機製造会社のコンピュータがインターネットで公開された使用済遊技機に関する情報を取得し、遊技機製造会社が買取意思の有る場合にコンピュータで買取意思を上記インターネットで公開されている管理センターのホームページに表示し、使用済遊技機に対する遊技店と遊技機製造会社との売買契約が成立すると、遊技店から遊技機製造会社に使用済遊技機を運搬するようにしたものがある。しかしながら、管理センターが遊技機製造会社と遊技店との間を仲立ちするので、遊技店から遊技機製造会社への使用済遊技機の回収と、遊技機製造会社から遊技店への代金の支払とが、長時間になるという欠点がある。
【特許文献１】特開２００４−２１３１９２号公報
【特許文献２】特開２００５−１８５６３９号公報
【発明の開示】
【発明が解決しようとする課題】
【０００３】
発明が解決しようとする問題点は、使用済遊技機の回収と代金の支払とが円滑に行えないという点である。
【課題を解決するための手段】
【０００４】
本発明に係る使用済遊技機の回収方法は、遊技機製造会社が買取申込書を遊技店に発行し、この買取申込書に遊技店が使用済遊技機に関する売渡情報を記入して遊技機製造会社に渡し、遊技機製造会社が受け取った売渡情報に基づき着払送状および梱包材を遊技店に送り、遊技店が使用済遊技機を梱包材に格納して着払送状を梱包材に添付し宅配業者に運搬依頼を行い、運搬依頼を受けた宅配業者が着払送状に基づき使用済遊技機の格納された梱包材を遊技店から遊技機製造会社に運搬し、遊技機製造会社が宅配業者から受け取った使用済遊技機の正否を検収して検収の結果に基づき買取通知書を作成して遊技店に渡すとともに検収結果に基づく代金を遊技店に支払い、また、遊技機製造会社が配達結果に基づき運賃を宅配業者に支払うことを最も主要な特徴とする。
【発明の効果】
【０００５】
本発明に係る使用済遊技機の回収方法は、遊技店が買取申込書に使用済遊技機に関する売渡情報を記入して遊技機製造会社に渡し、遊技機製造会社が受け取った売渡情報に基づき着払送状および梱包材を遊技店に送り、遊技店が使用済遊技機を梱包材に格納して着払送状を梱包材に添付し宅配業者に運搬依頼を行い、運搬依頼を受けた宅配業者が着払送状に基づき使用済遊技機の格納された梱包材を遊技店から遊技機製造会社に運搬し、遊技機製造会社が宅配業者から受け取った使用済遊技機の正否を検収して検収の結果に基づき買取通知書を作成して遊技店に渡すとともに検収結果に基づく代金を遊技店に支払い、また、遊技機製造会社が配達結果に基づき運賃を宅配業者に支払うので、使用済遊技機の回収と代金の支払とが円滑に行えるうえ、不特定多数の宅配業者を利用でき遊技店は運賃負担がないという利点がある。
【発明を実施するための最良の形態】
【０００６】
図１は、発明を実施するための最良の形態に係る使用済遊技機の回収方法を示す。図１において、遊技機製造会社１が買取申込書２を特定するためのコードが印刷された買取申込書２を遊技店３に発行する。遊技店３が買取申込書２に使用済遊技機８に関する売渡情報４を記入して遊技機製造会社１に郵送またはＦＡＸなどで渡す。売渡情報４としては、遊技店名、遊技店の法人名、機種名、売渡台数、着払送状５や梱包材６の発送希望日、着払送状５や梱包材６の送付先などである。
【０００７】
次に、遊技機製造会社１が受け取った買取申込書２の売渡情報４に基づき着払送状５および梱包材６を売渡情報４の送付先に郵送または宅配便で送る。着払送状５に記載される情報としては、依頼主としての遊技店名、遊技機製造会社１の指定場所としての送先の住所や名前および電話番号、申込コード、引取機種名、引取台数などである。着払送状５の遊技店名は、売渡情報４の遊技店名に相当する。着払送状５の引取機種名は、売渡情報４の使用済遊技機８の機種名に相当する。着払送状５の引取台数は、売渡情報４の売渡台数に相当する。着払送状５の引取主としての遊技店住所は、売渡情報４の遊技店住所に相当する。
【０００８】
その後、遊技店３が使用済遊技機８を遊技機製造会社１から受け取った梱包材６に格納し、遊技機製造会社１から受け取った着払送状５を梱包材６に添付し、宅配業者７に運搬依頼を行う。運搬依頼を受けた宅配業者７は、トラックで引渡場所に行き、当該引取場所で使用済遊技機８の格納された梱包材６を受け取ってトラックに載せて着払送状５に記載された遊技機製造会社１の指定場所に運搬する。
【０００９】
遊技機製造会社１は、宅配業者７から受け取った使用済遊技機８の格納された梱包材６を開封し、使用済遊技機８が受け取るべきものであるかを検収する。使用済遊技機８が受け取るべきでないものである場合、受け取るべきでない理由を遊技店３に連絡するとともに受け取るべきでない使用済遊技機８を宅配便で遊技店３に返却する。
【００１０】
その後、遊技機製造会社１は、検収の結果に基づき買取通知書９を作成して遊技店３に郵送またはＦＡＸなどで渡すとともに検収結果に基づく代金１０を遊技店３の口座に振り込みで支払う。また、遊技機製造会社１は、配達結果に基づき運賃１１を宅配業者７の口座に振り込みで支払う。買取通知書９に記載された情報としては、申込コード、買取機種名、買取台数、買取単価、買取金額、振込先、振込予定日などである。
【００１１】
最良の形態によれば、遊技店３が買取申込書２に売渡情報４を記入して遊技機製造会社１に渡し、遊技機製造会社１が受け取った売渡情報４に基づき着払送状５および梱包材６を遊技店３に送り、遊技店３が使用済遊技機８を梱包材６に格納して着払送状５を梱包材６に添付し宅配業者７に運搬依頼を行い、運搬依頼を受けた宅配業者７が着払送状５に基づき使用済遊技機８の格納された梱包材６を遊技店３から遊技機製造会社１の指定場所に運搬し、遊技機製造会社１が宅配業者７から受け取った使用済遊技機８の正否を検収して検収の結果に基づき買取通知書９を作成して遊技店３に渡すとともに検収結果に基づく代金１０を遊技店３の口座に振り込みで支払い、また、遊技機製造会社１が配達結果に基づき運賃１１を宅配業者７の口座に振り込みで支払うので、使用済遊技機８の回収と代金１０や運賃１１の支払とが円滑に行えるという利点がある。不特定多数の宅配業者７を利用でき遊技店は運賃を負担しなくてもよいという利点がある。
【産業上の利用可能性】
【００１２】
使用済遊技機８としては、遊技盤だけ、遊技機枠だけ、遊技盤の装着された遊技機枠、スロットマシーンと呼ばれる回胴式遊技機などの形態である。
【図面の簡単な説明】
【００１３】
【図１】使用済遊技機回収方法の模式図（最良の形態）。
【符号の説明】
【００１４】
１は遊技機製造会社、２は買取申込書、３は遊技店、４は売渡情報、５は着払送状、６は梱包材、７は宅配業者、８は使用済遊技機、９は買取通知書、１０は代金、１１は運賃。
【図１】
2008212259.tif 000003